(57)【要約】【課題】  通信手段の電波が、記録媒体積載部に積載された記録媒体に届く位置に配置されていても、搬送中の用紙のＩＣタグに情報を書き込むことができる画像形成装置を提供する。【解決手段】  排紙トレイ２６や給紙トレイ１８に積載された用紙には、通信手段の電波が届くが、用紙に備えられたＩＣタグ７０には通信手段の電波が届かないようにしている。これにより、排紙トレイ２６や給紙トレイ１８に積載された用紙のＩＣタグ７０が発信された通信手段の電波に応答してしまうことがない。よって、通信手段の電波に搬送中の用紙のＩＣタグ７０のみが応答することができ、搬送中の用紙のＩＣタグに所定の情報を書き込むことができる。。【選択図】  図１１
2007076065.tif 000002
【特許請求の範囲】
【請求項１】
情報を受信する受信手段を備えた記録媒体を載置する記録媒体載置部と、該記録媒体に画像を形成する画像形成手段と、少なくとも該記録媒体に備えられた受信手段に情報を送信する機能を有する通信手段とを備えた画像形成装置において、
該通信手段の電磁波が、該記録媒体載置部に載置された記録媒体に備えられた受信手段には届かない位置に該通信手段を配置したことを特徴とする画像形成装置。
【請求項２】
請求項１の画像形成装置において、
上記通信手段を、該通信手段の電磁波が上記記録媒体載置部に載置された記録媒体に届く範囲に配置したことを特徴とする画像形成装置。
【請求項３】
情報を受信する受信手段を備えた記録媒体を載置する記録媒体載置部と、該記録媒体に画像を形成する画像形成手段と、少なくとも該記録媒体に備えられた受信手段に情報を送信する送信機能を有する通信手段とを備えた画像形成装置において、
該通信手段と該記録媒体載置部に載置された記録媒体との間に該通信手段の電磁波を遮断するシールド板を備えたことを特徴とする画像形成装置。
【請求項４】
請求項１乃至３いずれかの画像形成装置において、
上記通信手段を装置本体から着脱可能にしたことを特徴とする画像形成装置。
【請求項５】
請求項１乃至４いずれの画像形成装置において、
上記記録媒体として、ＩＣタグを備えたものを用いたことを特徴とする画像形成装置。
【請求項６】
請求項５の画像形成装置において、
上記ＩＣタグへ情報の書き込みおよび該ＩＣタグからの情報の読み出しの少なくとも一方を行うことを特徴とする画像形成装置。
【請求項７】
請求項５または６の画像形成装置において、
上記通信手段は、アンテナとＩＣタグに書き込み／読み取りを行う書込／読取手段とで構成されたおり、該アンテナと該書込／読取手段とを一体に構成したことを特徴とする画像形成装置。
【請求項８】
請求項５乃至７いずれかの画像形成装置において、
画像形成手段へ搬送中の記録媒体に備えられたＩＣタグに記憶されている固有のＩＤを取得して、取得したＩＤが、所定のＩＤであるとき、該記録媒体に画像を形成することを特徴とする画像形成装置。
【請求項９】
請求項５乃至８いずれかの画像形成装置において、
上記ＩＣタグに情報を書き込んだ後、該ＩＣタグに書き込んだ情報を該ＩＣタグから読み出し、該ＩＣタグに書き込んだ情報が正常か否かを検知する検知手段を備えたことを特徴とする画像形成装置。
【請求項１０】
請求項９の画像形成装置において、
上記ＩＣタグに情報を書き込んだ情報が正常でない場合、エラー処理を実行するエラー処理実行手段を備えたことを特徴とする画像形成装置。
【請求項１１】
請求項１０の画像形成装置において、
上記エラー処理実行手段は、正常な情報が書き込まれていないＩＣタグを備えた記録媒体に、所定の画像を形成することを特徴とする画像形成装置。
【請求項１２】
請求項８乃至１１いずれかの画像形成装置において、
記録媒体に画像を形成する前に、上記検知手段でＩＣタグに書き込んだ情報が正常か否かを検知することを特徴とする画像形成装置。
【請求項１３】
請求項８乃至１２いずれかの画像形成装置において、
記録媒体を反転するための反転台と、反転経路とを備え、記録媒体を一旦反転台に排出し、搬送方向をスイッチバックさせて反転経路へと搬送するものであって、
上記通信手段は、該反転台と対向する位置に設けることを特徴とする画像形成装置。
【請求項１４】
請求項１３の画像形成装置において、
画像が形成された記録媒体が排出される排紙トレイを、上記反転台として用いたことを特徴とする画像形成装置。
【請求項１５】
請求項１乃至１４いずれかの画像形成装置において、
記録媒体に画像を形成する方式を、インクを記録ヘッドから吐出して記録媒体に画像を形成するインクジェット方式としたことを特徴とした画像形成装置。
【請求項１６】
請求項１５の画像形成装置において、
上記インクとして、顔料系インクを用いたことを特徴とする画像形成装置。
【発明の詳細な説明】
【技術分野】
【０００１】
本発明は、受信手段を備えた記録媒体の表面に画像を形成するとともに、受信手段へ情報を送信する画像形成装置に関するものである。
【背景技術】
【０００２】
近年、バーコードに代わる商品識別・管理技術として、ＩＣタグから、情報を無線によってやりとりする技術（ＲＦＩＤ（Ｒａｄｉｏ  Ｆｒｅｑｕｅｎｃｙ  Ｉｄｅｎｔｉｆｉｃａｔｉｏｎ））が注目されている。ＲＦＩＤは、データの書き込みや追記が可能である点や、データが読み取られるＩＣタグが汚れたり、物陰に隠れていたりしても、データを読み取れる点が特徴点として挙げられ、バーコードを用いた識別システムにない利点を得ることができる。ＲＦＩＤ技術を用いた識別システムは、ＩＣタグを備えた記録媒体たる用紙を用い、用紙に可視情報を印刷し、ＩＣタグに電子情報を書き込んで、人が見ても情報が認識でき、機械でも情報が認識できるようにしている。そして、近年、プリンタなどの画像形成装置にＩＣタグに情報を書き込む機能を搭載し、用紙の印刷と、ＩＣタグへの書き込みとを一括して行うものが提案されている（例えば、特許文献１〜２）。
【０００３】
特許文献１は、ＩＣタグを備えたロール紙状の用紙にインクジェット方式で印字するとともに、キャリッジに設けた通信アンテナでＩＣタグに電子情報を書き込むようにしたものである。また、特許文献２は、給紙トレイにスタックされたＩＣタグを備えた用紙をレーザー静電転写方式のプリント部へ搬送し、ＩＣタグがプリント部に到達する前に用紙のＩＣタグに通信アンテナを用いて電子情報を書き込むものである。
【０００４】
【特許文献１】特開２００３−３００３５６号公報
【特許文献２】特開２００２−３３７４２６号公報
【発明の開示】
【発明が解決しようとする課題】
【０００５】
近年、画像形成装置の小型化が求められており、用紙を載置する記録媒体載置部たる給紙トレイと、画像形成手段たるインクジェット方式の印字機構部とを備え小型化した画像形成装置にＩＣタグとの通信を行う通信手段を設けて、上記機能を搭載する場合、次のような不具合が生じる。すなわち、図１８に示すように、小型化したものでは、印字機構部２３０と給紙トレイ１８０との距離が短くなり、用紙搬送経路上に設けられた通信アンテナ５１０と給紙トレイ１８０に載置された用紙との間の距離が短くなる。その結果、図中点線で示すアンテナ５１０の電波が、給紙トレイ１８０に載置された用紙のＩＣタグ７０に届いてしまい、用紙搬送経路上の用紙のＩＣタグに情報を書き込まずに、給紙トレイに載置された用紙のＩＣタグに情報を書き込んだりして、誤動作が生じてしまうという不具合である。
【０００６】
本発明は、上記問題に鑑みなされたものであり、その目的とするところは、通信手段の電磁波が、記録媒体載置部に載置された記録媒体に届く位置に配置されていても、搬送中の用紙の受信手段にのみ情報を送信できる画像形成装置を提供することである。
【課題を解決するための手段】
【０００７】
上記目的を達成するために、請求項１の発明は、情報を受信する受信手段を備えた記録媒体を載置する記録媒体載置部と、該記録媒体に画像を形成する画像形成手段と、少なくとも該記録媒体に備えられた受信手段に情報を送信する機能を有する通信手段とを備えた画像形成装置において、該通信手段の電磁波が、該記録媒体載置部に載置された記録媒体に備えられた受信手段には届かない位置に該通信手段を配置したことを特徴とするものである。
また、請求項２の発明は、請求項１の画像形成装置において、上記通信手段を、該通信手段の電磁波が上記記録媒体載置部に載置された記録媒体に届く範囲に配置したことを特徴とするものである。
また、請求項３の発明は、情報を受信する受信手段を備えた記録媒体を載置する記録媒体載置部と、該記録媒体に画像を形成する画像形成手段と、少なくとも該記録媒体に備えられた受信手段に情報を送信する送信機能を有する通信手段とを備えた画像形成装置において、該通信手段と該記録媒体載置部に載置された記録媒体との間に該通信手段の電磁波を遮断するシールド板を備えたことを特徴とするものである。
また、請求項４の発明は、請求項１乃至３いずれかの画像形成装置において、上記通信手段を装置本体から着脱可能にしたことを特徴とするものである。
また、請求項５の発明は、請求項１乃至４いずれの画像形成装置において、上記記録媒体として、ＩＣタグを備えたものを用いたことを特徴とするものである。
また、請求項６の発明は、請求項５の画像形成装置において、上記ＩＣタグへ情報の書き込みおよび該ＩＣタグからの情報の読み出しの少なくとも一方を行うことを特徴とするものである。
また、請求項７の発明は、請求項５または６の画像形成装置において、上記通信手段は、アンテナとＩＣタグに書き込み／読み取りを行う書込／読取手段とで構成されたおり、該アンテナと該書込／読取手段とを一体に構成したことを特徴とするものである。
また、請求項８の発明は、請求項５乃至７いずれかの画像形成装置において、画像形成手段へ搬送中の記録媒体に備えられたＩＣタグに記憶されている固有のＩＤを取得して、取得したＩＤが、所定のＩＤであるとき、該記録媒体に画像を形成することを特徴とするものである。
また、請求項９の発明は、請求項５乃至８いずれかの画像形成装置において、上記ＩＣタグに情報を書き込んだ後、該ＩＣタグに書き込んだ情報を該ＩＣタグから読み出し、該ＩＣタグに書き込んだ情報が正常か否かを検知する検知手段を備えたことを特徴とするものである。
また、請求項１０の発明は、請求項９の画像形成装置において、上記ＩＣタグに情報を書き込んだ情報が正常でない場合、エラー処理を実行するエラー処理実行手段を備えたことを特徴とするものである。
また、請求項１１の発明は、請求項１０の画像形成装置において、上記エラー処理実行手段は、正常な情報が書き込まれていないＩＣタグを備えた記録媒体に、所定の画像を形成することを特徴とするものである。
また、請求項１２の発明は、請求項８乃至１１いずれかの画像形成装置において、記録媒体に画像を形成する前に、上記検知手段でＩＣタグに書き込んだ情報が正常か否かを検知することを特徴とするものである。
また、請求項１３の発明は、請求項８乃至１２いずれかの画像形成装置において、記録媒体を反転するための反転台と、反転経路とを備え、記録媒体を一旦反転台に排出し、搬送方向をスイッチバックさせて反転経路へと搬送するものであって、上記通信手段は、該反転台と対向する位置に設けることを特徴とするものである。
また、請求項１４の発明は、請求項１３の画像形成装置において、画像が形成された記録媒体が排出される排紙トレイを、上記反転台として用いたことを特徴とするものである。
また、請求項１５の発明は、請求項１乃至１４いずれかの画像形成装置において、記録媒体に画像を形成する方式を、インクを記録ヘッドから吐出して記録媒体に画像を形成するインクジェット方式としたことを特徴とした画像形成装置。
また、請求項１６の発明は、請求項１５の画像形成装置において、上記インクとして、顔料系インクを用いたことを特徴とするものである。
【発明の効果】
【０００８】
請求項１乃至１６の発明によれば、記録媒体載置部に載置された記録媒体に備えられた受信手段には通信手段の電磁波が届かないようにしている。これにより、記録媒体載置部に載置された記録媒体の受信手段が通信手段の電磁波に応答してしまうことがない。よって、通信手段の電磁波に搬送中の記録媒体の受信手段のみが応答することができ、搬送中の記録媒体の受信手段に所定の情報を送信することができる。
【発明を実施するための最良の形態】
【０００９】
以下、本発明を適用した画像記録装置の一実施形態として、インクジェットプリンタ（以下、プリンタ）について説明する。
まず、本プリンタの基本的な構成について説明する。
図１は、プリンタ本体の外観図であり、図２は、本実施形態に係るプリンタの概略構成図である。このプリンタ１００は、図１に示すように、記録媒体たる用紙が積層されて収容された記録媒体載置部たる給紙トレイ１８と画像が記録（形成）された用紙をストックするための記録媒体載置部たる排紙トレイ２６とがそれぞれ装置本体から着脱可能に装着されている。そして、プリンタ１００の上面は略平坦な面で、開閉可能な上カバー１０１を有しており、装置手前側には上面に対して斜め後方に傾斜した前カバー１０２が備えられている。この傾斜した前カバー１０２の下方に、排紙トレイ２６および給紙トレイ１８を備えている。さらに、装置の手前側には、インクカートリッジ装填部１０５を有し、このインクカートリッジ装填部１０５の上面に操作キーや表示器などの操作部１０４を配置している。このインクカートリッジ装填部１０５にはインクカートリッジの脱着を行うための開閉可能なドア１０３を有している。
【００１０】
また、図２に示すように、このプリンタ１００は、図示しない駆動手段により用紙の搬送方向に対して横切る方向（主走査線方向）に移動可能に保持されたキャリッジ９を備えた印字機構部２３を有している。また、プリンタ１００は、印字機構部２３と対向する位置を経由して給紙トレイ１８の用紙を排紙トレイ２６に搬送する搬送部２１を備えている。
【００１１】
印字機構部２３のキャリッジ９には、Ｙ（イエロー）、Ｍ（マゼンタ）、Ｃ（シアン）、Ｂ（ブラック）色のそれぞれインク液を用紙に吐出する吐出口を備えた記録部としてのヘッド１３がそれぞれ設けられている。
搬送部２１は、多数の用紙を載置した給紙トレイ１８、給紙トレイ１８内の用紙を搬送ローラ１０へ送り出す給紙ローラ１９、給紙トレイ１８内の複数の用紙のうち一枚だけを搬送ローラ１０に送り出すための分離パッド２０、給紙トレイ１８から給紙された用紙を案内する給紙ガイド２７を備えている。搬送ローラ１０は、テンションローラ１１とで搬送部材としての搬送ベルト１２を張架している。搬送ベルト１２は、搬送された用紙をヘッド１３との対向位置に搬送する。搬送ローラ１０は、図示しない駆動手段によって図中の時計周りに回転しており、これにより搬送ベルト１２が図示Ａの方向に無端移動する。また、搬送部２１は、用紙を搬送ローラ１０に押し付ける加圧ローラ１６、用紙を案内する案内ガイド２２、搬送ベルト１２表面を帯電させる帯電ローラ１５を有している。ヘッド１３と対向する位置には、搬送ベルト１２をガイドする搬送ガイド板１４が搬送ベルト１２の内周面側に設けられている。また、搬送部２１は、画像が記録された用紙を搬送ベルト１２から分離する分離爪１７と、排紙トレイ２６に排出するための排紙ローラ２５および断面星型形状の拍車２４を備えている。本実施形態のプリンタ１には、用紙を反転させる反転機構３０が設けられており、用紙の両面にプリントができるようにしている。
【００１２】
次に、本実施形態のプリンタ１００のプリント動作について説明する。
図３は、パーソナルコンピュータ１１０に通信ケーブル１２０を介して接続された本インクジェットプリンタ１００の外観図である。
本インクジェットプリンタ１００は、パーソナルコンピュータ１１０から通信ケーブル１２０を介して画像情報である印字データが送られ、プリントを実行する。まず、先の図２に示すように、給紙トレイ１８から給紙ローラ１９によって搬送ローラ１０へ用紙が給紙される。給紙トレイ１８から給紙された用紙は、ガイド部材２２や加圧ローラ１６に案内されて、搬送ベルト１２に搬送される。搬送ベルト１２の表面は帯電ローラ１５により帯電させられており、用紙を静電的に搬送ベルト１２に吸着させる。搬送ベルト１２に搬送された用紙がヘッド１３と対向する位置に達したら、搬送ベルト１２を停止して用紙の移動を停止する。そして、キャリッジ９が印字データに応じて主走査線方向に往復移動しながら、停止した用紙の所定箇所に所定のインク液を吐出して１ライン分の画像を用紙に記録する。ここで、１ラインとは、用紙を停止させた状態で、ヘッド１３が用紙へ記録可能な副走査線方向の範囲を言う。主走査線方向に１ライン分の記録が終了したら、搬送ベルト１２を所定時間駆動させ、用紙を１ライン分排紙トレイ２６方向に移動させて停止する。そして、上述同様、キャリッジ９が印字データに応じて主走査線方向に往復移動しなが１ライン分の画像を記録する。このような工程を所定回数繰り返し行い、用紙に所望の画像をプリントする。所望の画像がプリントされた用紙は、分離爪１７で搬送ベルト１２から分離され、排紙ローラ２５及び拍車２４によって搬送され、排紙トレイ２６に排出される。
両面プリントの場合は、用紙の一方の面に所望の画像をプリントして用紙の一部を排紙トレイ２６に排紙したら、搬送ベルト１２を逆回転させ、排紙トレイ上の用紙をスイッチバックさせて反転機構３０に搬送する。反転機構３０で反転した用紙は、再びガイド部材２２や加圧ローラ１６に案内されて搬送ベルト１２に搬送される。用紙がヘッド１３と対向する位置に達したら、上述同様の動作を行い用紙の他方の面に所望の画像をプリントする。そして、両面に所望の画像がプリントされた用紙は、分離爪１７で搬送ベルト１２から分離され、排紙ローラ２５及び拍車２４によって搬送されて再び排紙トレイ２６に排出される。
【００１３】
本実施形態のプリンタ１００には、カット紙等に内蔵されたＩＣタグへ書き込み／読み込みを行うための通信手段が設けられている。図４に示すように、通信手段は、排紙トレイ２６に取り付けられた送受信アンテナ５１と、装置本体内に取り付けられた書込／読取手段たるリーダーライター５２とで構成されている。送受信アンテナ５１が取り付けられた排紙トレイ２６は、図示するように、装置本体に対して、着脱可能となっている。送受信アンテナ５１のケーブルは、インクカートリッジ装填部１０５に設けたコネクタに接続し、プリンタ内部の配線部５３を通って、リーダーライター５２と接続している。リーダーライター５２は、開閉可能な上カバー１０１の内面にマジックテープ（登録商標）などを用いて上カバー１０１から着脱可能に取り付けられている。また、リーダーライター５２は、図示してないが、装置本体内の制御部に接続されている。送受信アンテナ５１およびリーダーライター５２は、装置本体から着脱可能になっており、通常のプリンタ１００に送受信アンテナ５１が取り付けられた排紙トレイ２６およびリーダーライター５２を装置本体に取り付けることで、通常のプリンタ１００をＩＣタグへ書き込み／読み込みが可能なＲＦＩＤ専用のプリンタにすることができる。なお、通常のプリンタの制御部には、上記通信手段を制御する制御プログラムなどがないので、これらの制御プログラムを、パーソナルコンピュータ１１０からインストールするようにしている。また、リーダーライタ５２に制御プログラムを備えていても良い。
これにより、通常は一般のＯＡプリンタとして利用でき、必要なときだけ送受信アンテナ５１を備えた排紙トレイ２６と、リーダーライター５２とを取り付けるとともに、必要な制御プログラムをプリンタへインストールすることで、ＩＣタグへ書き込み／読み込みが可能なＲＦＩＤ専用のプリンタにすることができる。このように、大量生産可能な一般のＯＡプリンタをＲＦＩＤ専用のプリンタにすることで、予めリーダーライター５２と送受信アンテナ５１とを内蔵したＲＦＩＤ専用のプリンタに比べて、安価にＲＦＩＤ専用のプリンタを提供することが可能となる。
【００１４】
次に、ＩＣタグについて説明する。ＩＣタグは、図５に示すように、カットされた記録媒体たる用紙Ｐに設けられている。本実施形態では、ＩＣタグ７０が貼り付けられている面を用紙の裏面としている。図６は、ＩＣタグ７０のブロック図である。ＩＣタグ７０は、情報を記憶するＥＥＰＲＯＭなどの不揮発性メモリ７１と、本体側の通信手段５０と通信を行う送信アンテナ７３と受信アンテナ７４とを備えている。また、ＩＣタグ７０には、受信用アンテナ７４から情報を不揮発性メモリ７１に送信したり、不揮発性メモリ７１の情報を送信アンテナ７３に送信したりする通信回路７２を備えている。ＩＣタグの不揮発性メモリ７１には、６４ビットの固有のＩＤ（ＵＩＤ）が記憶されている。
【００１５】
通信回路７２は、受信アンテナ７４で受けた受信信号を増幅する受信回路７２ａ、増幅した受信信号を伝送用の所定信号に復調する復調回路７２ｂを備えている。また、受信信号に基づき、不揮発性メモリ７１に情報の書き込みを行ったり、不揮発性メモリ７１から情報を取り出したりする制御回路７２ｃを備えている。さらに、不揮発性メモリ７１の情報を伝送用の所定信号に変調する変調回路７２ｄ、送信アンテナ７３に送信信号を送る送信ドライバー７２ｅが備えられている。また、受信用アンテナ７４の電磁波を整流して電源を作成し、電源を供給する電源回路７２ｆも備えている。
【００１６】
次に、ＩＣタグ７０との通信について説明する。装置本体１００との通信は、まず、装置本体の制御部６０から、装置本体側通信手段５０のリーダーライター５２へ要求信号を送信する。制御部６０とリーダーライター５２とは、シリアルインターフェースで接続されており、このシリアルインターフェースにより制御部６０とリーダーライター５２とで信号の送受信が行われている。リーダーライター５２に送信された要求信号は、伝送用の所定の信号に変調されて、本体側の送受信アンテナ５１に送らて、ＩＣタグ７０の受信アンテナ７４へ送られる。
【００１７】
装置側の送受信アンテナ５１の送信電波を受信アンテナ７４で受信したら、電源回路７２は、この受信した電波の電磁波を整流して電源を作成する。また、これと同時に、ＩＣタグ７０の受信アンテナ７４で受信した要求信号は、増幅回路７２ａで増幅され、復調回路７２ｂで所定信号に復調される。所定信号に復調された要求信号は、制御回路７２ｃに送られ、この要求信号に基づき制御回路７２ｃが不揮発性メモリ７１へ情報の書き込みや読み出し等の制御を行う。要求信号が不揮発性メモリ７１の情報を要求する信号である場合、制御回路７２ｃは、不揮発性メモリ７１から必要な情報を読み出し、読み出した情報にこのＩＣタグ固有のＩＤ（ＵＩＤ）を付与する。アドレスが付与された情報は、変調回路７２ｄに送られ、所定信号に変調されて送信アンテナ７３に送られる。送信アンテナ７３に送られた信号は、装置本体側の送受信アンテナ５１に受信される。
【００１８】
図７は、プリンタ１００の制御ブロック図である。同図において、制御部６０は、装置全体の制御を司っている。制御部６０には、プリンタ内の様々な機器が接続されている。同図においては、それら機器の一部を示している。即ち、制御部６０は、用紙へ画像を記録する印字機構部２３や、用紙を搬送する搬送部２１が接続されている。また、制御部６０には、各種制御プログラムを記憶したＲＯＭ６０ｃや、制御プログラムを実行するためのワーキングメモリーであるＲＡＭ６０ｂ、プログラムを実行するためのＣＰＵ６０ａなどを備えている。また、制御部６０は、パーソナルコンピュータ１１０上のプリンタドライバーソフトウエアから入力情報を得て、印字機構部２３や搬送部２１を制御している。
また、制御部６０は、パーソナルコンピュータ上のプリンタドライバーソフトウエアから、ＩＣタグ７０への書き込み情報を取得し、この取得した情報を通信手段５０へ送信している。通信手段５０は、ＩＣタグへ上記書き込み情報を送信したり、ＩＣタグ７０に記憶されている情報を読み出して、制御部６０へ送信したりしている。
ＲＯＭ６０ｃには、プリンタドライバーソフトウエアから取得したＩＣタグ７０への書き込み情報と、ＩＣタグ７０から取得した書き込んだ情報とを比較して、ＩＣタグに書き込んだ情報が正常か否かを検知する検知プログラムが記憶されている。そして、この検知プログラムが、ＣＰＵ６０ａ、ＲＡＭ６０ｂを用いて実行され、制御部６０が検知手段として機能している。また、ＲＯＭ６０ｃには、ＩＣタグに書き込んだ情報が正常でない場合、この正常でない情報が書き込まれている用紙に所定の画像（ＮＧの文字）を印刷したり、パーソナルコンピュータの画面上に「エラー表示」したりするなどのエラー処理を実行するエラー処理実行プログラムも記憶されている。そして、このエラー処理実行プログラムが、ＣＰＵ６０ａ、ＲＡＭ６０ｂを用いて実行され、制御部６０がエラー処理実行手段として機能している。
上記検知プログラムや、エラー処理を実行するエラー処理実行プログラムなどは、通常のＯＡプリンタをＲＦＩＤ専用プリンタにするときに、パーソナルコンピュータからインストールする。
【００１９】
次に、ＩＣタグ７０を備えた用紙の印刷処理について説明する。図８は、ＩＣタグ７０を備えた用紙の印刷処理のフロー図である。図９は、ＩＣタグ７０を備えた用紙の印刷処理を行うときのシーケンス図である。図８に示すように、まず、制御部６０は、パーソナルコンピュータ１１０から通信ケーブル１２０を介して受信した情報にＵＩＤ指定情報があるかどうかをチェックする（Ｓ１）。ＵＩＤの指定は、例えば、商品の製造日などの履歴情報が既に記録された用紙、商品の発送日などの集配情報が既に記録された用紙、患者の病歴などの個人情報が既に記録された用紙など、特定の情報が既に記録されているとともにＩＣタグに所定の情報が記憶されている用紙に、追加情報を、印刷する場合に指定される。
【００２０】
ＵＩＤが指定されている場合（Ｓ１ＹＥＳ）は、後述するＵＩＤ指定時に印刷処理を実行する（Ｓ２）。ＵＩＤが指定されていない場合（Ｓ１のＮＯ）、制御部６０は、パーソナルコンピュータ１１０から通信ケーブル１２０を介して受信した情報に印字データとともに、ＩＣタグ７０への書き込み内容があるかどうかをチェックする（Ｓ２）。ＩＣタグ７０への書き込み内容の入力は、パーソナルコンピュータ上で、プリンタドライバーソフトウエアを用いて操作者によって入力される。受信した情報にＩＣタグ７０への書き込み内容がない場合（Ｓ３のＮＯ）は、通常の印刷モードで印刷を行う（Ｓ４）。一方、受信した情報にＩＣタグ７０への書き込み内容がある場合（Ｓ３のＹＥＳ）、制御部６０は、ＲＦＩＤモードに設定を切り替える（Ｓ５）。具体的には、制御部６０は、両面印刷モード、および、用紙搬送速度を、通常プリント時の搬送速度よりも下げたＲＦＩＤ用の搬送速度に設定する。本実施形態においては、ＲＦＩＤ用の搬送速度は、高品位画像印刷時の用紙搬送速度と同じ速度に設定している。また、本実施形態のプリンタは、排紙トレイ２６に送受信アンテナ７３を備えているため、画像形成前にＩＣタグ７０と通信を行うようにするためには、両面印刷モードに切り換える必要がある。しかし、印字機構部よりも用紙搬送方向上流側に送受信アンテナを設けた場合は、両面印刷モードに切り換えなくても良い。ＲＦＩＤの切り替えは、パーソナルコンピュータ１１０のプリンタドライバーソフトウエアで指示される。ＲＦＩＤモードに設定を切り替えたら、用紙の搬送を開始する（Ｓ６）。片面印刷の場合（Ｓ７のＹＥＳ）は、用紙に画像を印刷ぜずに、用紙を送受信アンテナ５１のある排紙トレイ２６へ搬送する。一方、両面印刷の場合（Ｓ７のＮＯ）は、例えば、用紙の裏面のＩＣタグが貼り付けられている部分に「剥がさないで下さい」など、用紙の裏面に印字データを印刷（Ｓ８）して、排紙トレイ２６まで用紙を搬送する。用紙が排紙トレイ２６に搬送されてきたら、送受信アンテナ５１からＵＩＤ要求信号を送信する（Ｓ９）。ＩＣタグ７０は、図９に示すように、装置本体側の通信手段の送受信アンテナ５１からの要求信号を受信して、このＩＣタグ７１のＵＩＤを装置本体へ送信する。制御部６０は、ＩＣタグ７０からＵＩＤを受信したら（Ｓ１０のＹＥＳ）、パーソナルコンピュータ１１０へＵＩＤを送信する（Ｓ１１）。図９に示すように、パーソナルコンピュータは、プリンタから送信されたＵＩＤを受信して、印字データや書き込み情報と関連付けてＵＩＤを記憶する。
【００２１】
次に、制御部６０は、書き込み情報に受信したＵＩＤを付与して、装置本体の送受信アンテナ５１からＩＣタグ７０へ送信する（Ｓ１２）。ＩＣタグ７０は、図９に示すように、装置本体から送信されたＵＩＤが付与された書き込み情報を受信して、ＵＩＤを確認する。ＵＩＤが、このＩＣタグのＵＩＤと同一の場合は、受信した内容を不揮発性メモリ７１に記憶する。一方、ＵＩＤが、このＩＣタグのＵＩＤと異なっている場合は、記憶を行わない。
【００２２】
次に、用紙が排紙トレイ２６に所定位置まで排出されて、スイッチバックを開始したら（Ｓ１３のＹＥＳ）、制御部６０は、書き込み情報取得要求信号をＩＣタグへ送信する（Ｓ１４）。ＩＣタグ７０は、図９に示すように、装置本体から送信され書き込む情報取得要求信号を受信して、不揮発性メモリ７１に記憶した書き込み情報を読み出し、ＵＩＤを付与して装置本体へ送信する。
書き込み情報を受信したら（Ｓ１５のＹＥＳ）、制御部６０は、受信した書き込み情報およびＵＩＤと送信した書き込み情報および取得したＵＩＤとを比較する（Ｓ１６）。比較の結果、受信した情報が、送信した情報と異なる場合（Ｓ１６のＮＯ）、スイッチバックして反転機構３０を通って反転した用紙に「ＮＧ」を印刷して（Ｓ１７）終了する。一方、比較の結果、受信した情報と送信した情報とが同じ場合（Ｓ１６のＹＥＳ）は、スイッチバックして反転機構３０を通って反転した用紙に、用紙表面の印字データを印刷して（Ｓ１８）、終了する。
【００２３】
なお、上記では、受信した書き込み情報が送信した書き込み情報と異なる場合、用紙に「ＮＧ」と印刷しているがこれに限られない。例えば、受信した書き込み情報が送信した書き込み情報と異なる場合、制御部６０は、パーソナルコンピュータにエラー処理信号を送信し、パーソナルコンピュータがこの信号に基づき画面上に「ＩＣタグへの書き込みに失敗しました」などのエラー表示を行う。そして、用紙に何も印刷せずに排紙するようにしてもよい。
【００２４】
本実施形態では、用紙搬送中にＩＣタグ７０に書き込んだ内容を確かめて、書き込んだ内容にエラーがあった場合は、「ＮＧ」を印刷するなど所定の画像を印刷して、正常な情報が書き込まれた用紙と区別する処理を行っている。このような処理を行うことで、排紙トレイ２６に排出された用紙が、ＩＣタグ７０の書き込んだ内容にエラーがあった用紙か否かが用紙を見ただけでわかる。よって、ＩＣタグ７０の書き込んだ内容にエラーがあった用紙が誤使用されてしまうのを抑制することができる。
また、ＩＣタグ７０に書き込んだ内容を確かめてから、用紙に印字データを印刷するので、内容にエラーがあった場合、「ＮＧ」などの所定の画像を印刷したり印刷せずに排出したりして、ＩＣタグ７０に書き込んだ内容にエラーがある用紙か否かが、排紙トレイに排出された用紙を見ただけで判別できる処理を行うことができる。印刷せずに排出すれば、この用紙を再利用することもできる。
また、本実施形態においては、搬送されてくる用紙のＩＣタグ７０に記憶されているＵＩＤを読み込んで、このＵＩＤをもつＩＣタグ７０に対して書き込み・読み出しを行っている。これにより、搬送中の用紙のＩＣタグ以外のＩＣタグ７０にデータを書き込んだり、搬送中の用紙のＩＣタグ以外のＩＣタグ７０に記憶されているデータを読み出したりすることがない。よって、ＩＣタグへの誤書き込みや、誤読み出しを防止することができる。
【００２５】
また、本実施形態においては、用紙がスイッチバックする反転台たる排紙トレイ２６に送受信アンテナ５１を設けている。排紙トレイ２６に搬送されてきた用紙は、スイッチバックするために、一旦停止して、再び搬送される。このため、用紙が排紙トレイ２６に留まっている時間が長いので、この排紙トレイ２６に送受信アンテナ５１を設けることで、確実に用紙のＩＣタグ７０に書き込みと、書き込んだデータの読み込みとを行うことができる。
【００２６】
次に、ＵＩＤ指定時の印刷処理について説明する。図１０は、ＵＩＤ指定時の印刷処理の制御フローである。一度情報が印刷され、ＩＣタグに情報が記憶された用紙に対して、追加の情報を印刷したい場合、印刷する用紙のＩＣタグに記憶されているＵＩＤを指定する。ＵＩＤの指定の方法は、パーソナルコンピュータ１１０のアプリケーションソフトから印刷対象の用紙に記録した情報またはＩＣタグに記憶した情報を読み出して、この情報からＵＩＤを指定する。また、その他に、一度目の印刷のときに用紙の所定の位置にＵＩＤを印刷しておき、一度印刷された用紙を再度印刷する場合は、ユーザーが用紙に印刷されているＵＩＤをパーソナルコンピュータ１１０で入力することでも指定することができる。この場合、図８に示したフローのＳ８のステップを行う必要がなくなる。
【００２７】
上記のようにして指定されたＵＩＤが、印字データや書き込み情報とともにプリンタに送られたら、プリンタの制御部６０は、ＲＦＩＤ設定モードに設定して（Ｓ２１）、給紙トレイ１８にセットされた一度情報が印刷されている用紙の搬送を開始する（Ｓ２２）。この一度情報が印刷されている用紙が、排紙トレイ２６まできたら、制御部６０は、上述同様、ＵＩＤ要求信号を一度印刷された用紙のＩＣタグへ送信する。ＩＣタグは、この要求信号を受信して、プリンタへＵＩＤを送信する。制御部は、ＩＣタグから送信されたＵＩＤを受信したら（Ｓ２４のＹＥＳ）、指定されたＵＩＤと、受信したＵＩＤとが一致しているか否かチェックする（Ｓ２５）。指定されたＵＩＤと、受信したＵＩＤとが一致していない場合（Ｓ２５のＮＯ）は、ユーザーが誤ったＵＩＤを指定したか、誤った用紙を給紙トレイにセットしているので、制御部６０は、パーソナルコンピュータ１１０へエラー処理信号を送信する（Ｓ２６）。エラー処理信号を受信したパーソナルコンピュータ１１０は、異なる用紙がセットされているため印刷を中止した旨を画面に表示する。そして、制御部６０は、用紙に情報を印刷せずに、排紙トレイ２６へ排紙する。
【００２８】
一方、ＵＩＤが一致している場合（Ｓ２５のＹＥＳ）、制御部６０は、パーソナルコンピュータ１１０から受信した情報に、ＩＣタグ７０への書き込み情報があるかどうかチェックする（Ｓ２７）。書き込み情報がある場合（Ｓ２７のＹＥＳ）、制御部６０は、書き込み情報にＵＩＤを付与して、装置本体の送受信アンテナ５１からＩＣタグ７０へ送信する（Ｓ２８）。ＩＣタグ７０は、ＵＩＤが付与された書き込み情報を受信して、ＵＩＤを確認する。ＵＩＤが、このＩＣタグのＵＩＤと同一の場合は、受信した内容を不揮発性メモリ７１に記憶する。一方、ＵＩＤが、このＩＣタグのＵＩＤと異なっている場合は、記憶を行わない。
【００２９】
次に、排紙トレイ２６上で用紙がスイッチバックしたら（Ｓ２９）、制御部６０は、ＩＣタグ７０へ書き込み情報取得要求信号を送信する（Ｓ３０）。ＩＣタグ７０は、書き込み情報取得要求信号を受信して、不揮発性メモリ７１に記憶した書き込み情報を読み出し、ＵＩＤを付与して装置本体へ送信する。
制御部６０は、書き込み情報を受信したら（Ｓ３１のＹＥＳ）、受信した書き込み情報およびＵＩＤと送信した書き込み情報およびＵＩＤとを比較する（Ｓ３２）。比較の結果、受信した情報が、送信した情報と異なる場合（Ｓ３２のＮＯ）、制御部６０は、パーソナルコンピュータ１１０へエラー処理信号を送信する（Ｓ３３）。エラー処理信号を受信したパーソナルコンピュータ１１０は、ＩＣタグへの書き込みに失敗た旨を画面上に表示する。そして、制御部６０は、用紙に情報を印刷せずに、排紙トレイ２６へ排紙する。
【００３０】
一方、比較の結果、受信した書き込み情報と送信した書き込み情報とが同じ場合（Ｓ３２のＹＥＳ）またはＩＣタグへの書き込み情報がない場合（Ｓ２７のＮＯ）、スイッチバックして反転機構３０を通って反転した用紙の表面に印字データを追加印刷して（Ｓ３４）、終了する。
【００３１】
ＩＣタグ７０へ情報を書き込む前にＩＣタグ固有の識別ＩＤ（ＵＩＤ）を取得して、取得したＵＩＤが指定されたＵＩＤのときＩＣタグへの書き込みを行っている。例えば、患者の病歴などの個人情報や、商品の発送日などの集配情報など、既に所定の情報が用紙に記録されていたり、ＩＣタグに既に所定の情報が記憶されていたりする用紙に、この用紙のＩＣタグに記憶されている情報に関連する情報のみを追加印刷することができる。
【００３２】
また、上記では、ＵＩＤを指定することで、一度情報が印刷され、ＩＣタグに情報が記憶された用紙に、この用紙に記録されている情報と関連する情報をのみを追加印刷することができるようにしているが、これに限られない。一度目の印刷時に、例えば、配送番号などの識別番号を設定して、パーソナルコンピュータ１１０に記憶または用紙に印刷するとともに、この設定した識別番号をＩＣタグに記憶させておく。そして、追加印刷する際、上記設定した識別番号を指定し、ＩＣタグに記憶した識別番号と比較して、識別番号が一致した場合に追加印刷を行うようにしても良い。
【００３３】
次に、通常のＯＡプリンタをＲＦＩＤ専用のプリンタにする方法について説明する。ユーザーが通常のＯＡプリンタをＲＦＩＤ専用のプリンタにしたい場合は、ユーザーは、オプションとして、リーダーライター５２と送受信アンテナ５１を備えた排紙トレイ２６と、検知プログラムや、エラー処理実行プログラムなど、ＲＦＩＤ専用プリンタとして使用するときに必要な制御プログラムを記憶したＣＤ−ＲＯＭなどの記録媒体のセットを購入する。そして、リーダーライター５２と送受信アンテナ５１を備えた排紙トレイ２６とをそれぞれ装置の所定の箇所に取り付ける。また、制御プログラムを記憶したＣＤ−ＲＯＭをプリンタが接続されているパーソナルコンピュータにセットして、ＣＤ−ＲＯＭに記憶されている必要な制御プログラムをパーソナルコンピュータからプリンタの制御部６０のＲＯＭ６０ｂへインストールする。これにより、通常ＯＡプリンタをＲＦＩＤ専用のプリンタにすることができる。
【００３４】
本実施形態においては、アンテナを用紙が載置される記録媒体載置部たる排紙トレイ２６に設けている。また、排紙トレイ２６の下部には、用紙が載置された記録媒体載置部たる給紙トレイ１８が設けられている。このとき、図１６に示すように、点線で示すアンテナの電波範囲に載置された用紙のＩＣタグ７０があると、この給紙トレイ１８に積層された用紙のＩＣタグ７０や、排紙トレイ２６に積層されている用紙のＩＣタグ７０のＵＩＤが装置本体に送信されてしまい、この給紙トレイ１８に載置された用紙のＩＣタグ７０や、排紙トレイ２６に載置されている用紙のＩＣタグ７０が、搬送中の用紙のＩＣタグ７０と誤認識してしまうおそれがある。その結果、実際は、搬送中の用紙のＩＣタグ７０には、正しいデータが書き込まれていないにもかかわらず、装置本体の制御部６０では、搬送中の用紙のＩＣタグ７０に正しいデータが書き込まれたと誤認識してしまう。その結果、実際は、ＩＣタグ７０に何のデータも書き込まれていない用紙が誤使用されてしまうおそれがある。
このため、本実施形態においては、送受信アンテナ５１の電波が、給紙トレイ１８に積層された用紙のＩＣタグ７０や排紙トレイ２６に積層された用紙のＩＣタグ７０にかからないよう、送受信アンテナ５１を配置している。
【００３５】
図１１は、送受信アンテナ５１と、排紙トレイ２６上でスイッチバック中の用紙Ｐ１と、排紙トレイ２６上に排紙されて載置された印刷済みの用紙Ｐ２と、給紙トレイ１８に載置されている用紙Ｐ３との関係を示す断面図であり、図１２は、その平面図である。図１２（ａ）は、送受信アンテナ５１と、排紙トレイ２６上でスイッチバック中の用紙Ｐ１と、排紙トレイ２６上に排紙されて載置された印刷済みの用紙Ｐ２との関係を示した平面図で、スイッチバック中の用紙Ｐ１を一点鎖線で示している。図１２（ｂ）は、送受信アンテナ５１と、給紙トレイ１８に載置されている用紙Ｐ３との関係を示す平面図である。
【００３６】
給紙トレイ１８にセットされるＩＣタグ付きの用紙は、用紙のおもて面、すなわちＩＣタグが貼り付けられていない方の面が上になるようセットする。これにより、排紙トレイ２６でスイッチバックし反転機構３０で反転して再び印字機構部２３に搬送されてきた用紙の表面が、キャリッジ９と対向するようになる。そして、送受信アンテナ５１は、図１１、図１２（ｂ）に示すように、おもて面が上になるように給紙トレイにセットされ載置された用紙Ｐ３のＩＣタグ７０と対向しない位置に配置している。また、送受信アンテナ５１は、図１１、図１２（ａ）に示すように、排紙トレイ２６に排出されて載置された印刷済みの用紙Ｐ２のＩＣタグ７０と対向しないようにも配している。さらに、送受信アンテナ５１は、図１１、図１２（ａ）に示すように、排紙トレイ２６でスイッチバック中の用紙Ｐ１のＩＣタグ７０と対向する位置に配置する。
【００３７】
上記のように送受信アンテナ５１を配置することで、排紙トレイ２６上でスイッチバック中の用紙のＩＣタグと通信を行う際、図中点線で示す送受信アンテナ５１の電波範囲５１ａに、排紙トレイ２６や給紙トレイ１８に載置された用紙Ｐ２、Ｐ３のＩＣタグ７０が入ることがない。よって、排紙トレイ２６でスイッチバックしている搬送中の用紙Ｐ１のＩＣタグのＵＩＤのみが制御部６０で認識される。その結果、給紙トレイ１８に積層された用紙Ｐ２のＩＣタグ７０や、排紙トレイ２６に載置されている用紙Ｐ３のＩＣタグ７０が、搬送中の用紙Ｐ１のＩＣタグ７０と誤認識してしまうことがない。
【００３８】
また、図１３に示すように、排紙トレイ２６の送受信アンテナ５１と給紙トレイ１８との間にアルミ等からなるシールド板５４を設けて、送受信アンテナ５１からの電波を遮断し、給紙トレイ１８に届かせないようにしてもよい。これにより、給紙トレイ１８に積層された用紙Ｐ３のＩＣタグ７０に送受信アンテナ５１の電波が届かないので、給紙トレイ１８に積層された用紙Ｐ３のＩＣタグ７０のＵＩＤが、搬送中の用紙のＩＣタグ７０のＵＩＤと誤認識するのを防止することができる。
【００３９】
また、図１４、図１５に示すように送受信アンテナ５１とリーダーライター５２とが一体となったハンディタイプの通信手段５０を装置本体の前カバー１０２に取り付けて、通常のプリンタをＩＣタグへ書き込み／読み込みが可能なＲＦＩＤ専用プリンタにしても良い。このハンディタイプの通信手段５０の装置本体への取り付けは、例えば、マジックテープ（登録商標）で行うことができる。この場合、送受信アンテナ７０の電波が、排紙トレイ２６でスイッチバック中の用紙Ｐ１のＩＣタグ７０に届くよう、図１４に示すように、装置の前カバーに取り付けマーク１０２ａなどを設けておく。そして、通信手段５０にも、同様なマーク５０ａを設けておき、前カバーの取り付けマーク１０２ａと通信手段５０のマーク５０ａとが合うように、通信手段５０を前カバーに取り付ける。これにより、図１５に示すように通信手段５０のアンテナの電波が、排紙トレイ２６でスイッチバック中の用紙Ｐ１のＩＣタグ７０に届く。その結果、ハンディタイプの通信手段５０で確実に排紙トレイ２６でスイッチバック中の用紙Ｐ１のＩＣタグ７０に対して書き込みや読み出しを行うことができる。また、この場合も、排紙トレイ２６に積層された用紙Ｐ２のＩＣタグ７０に通信手段５０のアンテナの電波がかからないように、通信手段５０の取り付け位置を設定しておく。
【００４０】
このハンディタイプの通信手段５０を取り付けて、通常のＯＡプリンタをＲＦＩＤ専用のＯＡプリンタにする場合も、ＲＦＩＤ用の制御プログラムをパーソナルコンピュータからインストールすることで、通常のＯＡプリンタをＲＦＩＤ専用のＯＡプリンタにすることができる。
【００４１】
また、本発明は、上記のようなプリンタに限られない。例えば、図１６に示すように、装置を小型化する過程で、搬送経路上に設けた通信手段の送受信アンテナ５１が給紙トレイ４１と近くなり、送受信アンテナ５１の電波が給紙カセット４１の積層された用紙にかかるような場合にも、本発明を適用することができる。この場合にも、図１６に示すように、送受信アンテナ５１と給紙カセット２６との間にシールド板５４を設け、送受信アンテナ５１の電波が給紙カセット内に積層された用紙にかからないようにする。これにより、送受信アンテナ５１が、給紙カセット４１に積層された用紙のＩＣタグと通信を行うことが防止され、装置の制御部が、給紙カセット内に積層された用紙のＩＣタグ７０を、搬送中の用紙のＩＣタグと誤認識してしまうのを防止することができる。
【００４２】
（１）
以上、本実施形態の画像形成装置によれば、記録媒体載置部たる排紙トレイ２６や給紙トレイ１８に載置された記録媒体たる用紙に備えられたＩＣタグ７０には通信手段の電波が届かないようにしている。これにより、排紙トレイ２６や給紙トレイ１８に載置された用紙のＩＣタグ７０が発信された通信手段の電波に応答してしまうことがない。よって、通信手段の電波に搬送中の用紙のＩＣタグ７０のみが応答することができ、搬送中の用紙のＩＣタグに所定の情報を書き込むことができる。
（２）
また、画像形成装置の小型化やレイアウト上の関係で、通信手段の電磁波が、給紙トレイに載置された用紙に届く位置に配置されていても、上述のように、給紙トレイに載置された用紙のＩＣタグ７０には通信手段の電磁波が届かない。よって、小型化された画像形成装置であっても、通信手段の電波に搬送中の用紙のＩＣタグ７０のみが応答することができ、搬送中の用紙のＩＣタグに所定の情報を書き込むことができる。
（３）
また、本実施形態の画像形成装置によれば、通信手段と給紙トレイに載置された用紙との間にシールド板を設けて、通信手段の電波を遮断している。よって、装置を小型化した結果または装置のレイアウト上の結果から、通信手段を給紙トレイと近接して配置する必要が生じても、通信手段電波が給紙トレイに載置された用紙に備えられたＩＣタグに通信手段の電波が届かない。これにより、通信手段が搬送中用紙のＩＣタグに対して、電波を発信したとき、給紙トレイに載置された用紙のＩＣタグが発信された通信手段の電波に応答してしまうのを抑制することができる。よって、給紙トレイに載置された用紙のＩＣタグを、搬送中の用紙のＩＣタグと誤認識して、搬送中の用紙のＩＣタグに情報を書き込まずに、給紙トレイに載置された用紙のＩＣタグに載置され用紙のＩＣタグに情報を書き込んでしまう不具合を抑制することができる。また、搬送中の用紙のＩＣタグに記憶されている情報を読み出さずに、給紙トレイに載置された用紙のＩＣタグに載置されている用紙のＩＣタグに記憶されている情報を読み出してしまう不具合を抑制することができる。
（４）
また、記録媒体の印刷と、ＩＣタグへの記憶とを一括して行うＲＦＩＤ専用のプリンタは、一般のＯＡプリンタに比べてニーズが限られている。このため、用紙のＩＣタグと通信を行う通信手段を内蔵したＲＦＩＤ専用のプリンタを製造した場合、ニーズが限られているため、大量生産することができず、プリンタの製造コストが嵩んでしまう。その結果、一般のＯＡプリンタに比べて販売価格が高額となってしまう。しかし、本実施形態においては、通信手段を装置本体から着脱可能に構成することで、通信手段が取り付けられていないときは、一般ＯＡプリンタとして用いることができる。そして、通信手段を装置本体に取り付けて、所定のプログラムをインストールすれば、一般のＯＡプリンタをＲＦＩＤ専用のプリンタにすることができる。よって、装置本体はニーズの多い一般のＯＡプリントとして製造することができるので、大量生産を行うことができ、製造コストを下げることができる。そして、ＲＦＩＤ専用のプリンタとして用いたいユーザに対しては、上記大量生産によって製造コストを下げたプリンタにオプションとして上記通信手段を取り付けるようにすれば、ユーザに対して安価でＲＦＩＤ専用のプリンタを提供することができる。
（５）
また、記録媒体として、ＩＣタグを備えたものを用いることで、記録媒体に情報を記憶することができる。
（６）
また、本実施形態の画像形成装置によれば、ＩＣタグへ情報の書き込みおよびＩＣタグからの情報の読み出しの少なくとも一方を行うので、用紙への画像の印刷と、ＩＣタグへの情報の書き込み等を同時に行うことができる。
（７）
また、通信手段のアンテナと書込／読取手段とを一体とすることで、アンテナと書込／読取手段とが別体の通信手段に比べて、通信手段を装置本体から容易に着脱することができる。さらに、アンテナと書込／読取手段とが一体となった通信手段を装置本体から取り外した後も、用紙のＩＣタグと通信を行い、情報の書込／読取可能にしておけば、画像形成装置から離れた位置にある用紙のＩＣタグに書き込み／読み込みを行うことができ、利便性を向上させることができる。
（８）
また、搬送中の用紙のＩＣタグのＵＩＤを取得して、取得したＵＩＤが、所定のＵＩＤであるとき、用紙に画像を形成している。これにより、所定のＵＩＤを有さないＩＣタグを備えた用紙が搬送されてきても、画像が形成されることがない。これにより、ＩＣタグに記憶された情報に対応しない追加情報画像が記録媒体に形成されることがない。
（９）
また、本実施形態の画像形成装置によれば、ＩＣタグに情報を書き込んだ後、ＩＣタグに書き込んだ情報をＩＣタグから読み出し、ＩＣタグに書き込んだ情報が正常か否かをチェックことで、ＩＣタグに情報が正常に書き込まれたか否かがわかる。
（１０）
また、ＩＣタグに書き込んだ情報が正常でない場合は、パーソナルコンピュータに、警告表示するなどのエラー処理を実行することで、用紙のＩＣタグに情報が正しく書き込まれたか否かをユーザが認識することができる。これにより、ＩＣタグに正しい情報が書き込まれていない用紙が使用されてしまうのを抑制することができる。
（１１）
また、正常な情報が書き込まれていないＩＣタグを備えた用紙に、所定の画像（「ＮＧ」の文字）をプリントすることで、ユーザは用紙を見ただけで、ＩＣタグに正しい情報が書き込まれていない用紙か否かを判別することができる。これにより、ＩＣタグに正しい情報が書き込まれていない用紙が使用されてしまうのをより、良好に抑制することができる。
（１２）
また、用紙に画像を形成する前に、ＩＣタグに書き込んだ情報が正常か否かをチェックすることで、例えば、ＩＣタグに書き込んだ情報が正常でない場合、エラー処理として画像形成を行わないようにすることができる。ＩＣタグに書き込んだ情報が正常でない場合は、用紙に何も印刷しないようにすることで、このＩＣタグに正常に情報が書き込まれなかった用紙を再利用することができる。
（１３）
また、通信手段を用紙がスイッチバックする反転台と対向する位置に設ける。反転台に搬送されてきた用紙は、スイッチバックするために、一旦停止して、再び搬送される。このため、用紙が反転台に留まっている時間が長いので、この反転台と対向する位置に通信手段を設けることで、確実に用紙のＩＣタグに書き込みと、書き込んだデータの読み込みとを行うことができる。
（１４）
また、排紙トレイを反転台として用いることで、装置をコンパクト化することができる。
（１５）
また、本実施形態の画像形成装置は、インクジェット方式で用紙に画像を形成している。インクジェット方式は、トナーを用いた画像形成方式のように静電的に画像を転写したり、熱と圧力とで画像を用紙に定着させたりしなくても、用紙に画像を形成することができる。このため、インクジェット方式は、トナーを用いた画像形成方式に比べて、ＩＣタグへの電気的なダメージや熱や圧力によるダメージを少なくすることができる。その結果、用紙への画像形成中に、書き込んだ情報が壊れたり、消えたりする不具合を抑制することができる。
（１６）
また、画像を形成するインクとして、顔料系インクを用いることで、水系インクに比べて形成した画像のにじみを抑制することができる。
【図面の簡単な説明】
【００４３】
【図１】実施形態に係るインクジェットプリンタの外観斜視図。
【図２】インクジェットプリンタの概略構成図。
【図３】パーソナルコンピュータに通信ケーブルを介して接続された同インクジェットプリンタの外観図。
【図４】同インクジェットプリンタをＩＣタグへ書き込み／読み込みが可能なインクジェットプリンタに変更した図。
【図５】ＩＣタグを備えた用紙を示す図。
【図６】ＩＣタグの制御ブロック図。
【図７】プリンタの制御ブロック図。
【図８】ＩＣタグを備えた用紙の印刷処理の制御フロー図。
【図９】ＩＣタグを備えた用紙の印刷処理を行うときのシーケンス図。
【図１０】ＵＩＤ指定時の印刷処理の制御フロー図。
【図１１】送受信アンテナと、排紙トレイ上でスイッチバック中の用紙と、排紙トレイ上に排紙されて載置された印刷済みの用紙と、給紙トレイに載置されている用紙との関係を示す断面図。
【図１２】（ａ）は、送受信アンテナと、排紙トレイ上でスイッチバック中の用紙と、排紙トレイ上に排紙されて載置された印刷済みの用紙との関係を示した平面図。（ｂ）は、送受信アンテナと、給紙トレイに載置されている用紙との関係を示す平面図である。
【図１３】排紙トレイにシールド板を設けた図。
【図１４】ハンディタイプの通信手段を装置の前カバーに取り付けて、ＩＣタグへ書き込み／読み込みが可能なインクジェットプリンタした例を示す図。
【図１５】ハンディタイプの通信手段を装置の前カバーに取り付けたインクジェットプリンタの要部拡大構成図。
【図１６】別のインクジェットプリンタに本発明を適用した例を示す図。
【図１７】従来のインクジェットプリンタの要部構成図。
【図１８】従来のインクジェットプリンタの別の要部構成図。
【符号の説明】
【００４４】
９  キャリッジ
１２  搬送ベルト
１３  ヘッド
１８  給紙トレイ
２６  排紙トレイ
５１  送受信アンテナ
５２  リーダーライター
５４  シールド板
７０  ＩＣタグ
【図１】
2007076065.tif 000003
【図２】
2007076065.tif 000004
【図３】
2007076065.tif 000005
【図４】
2007076065.tif 000006
【図５】
2007076065.tif 000007
【図６】
2007076065.tif 000008
【図７】
2007076065.tif 000009
【図８】
2007076065.tif 000010
【図９】
2007076065.tif 000011
【図１０】
2007076065.tif 000012
【図１１】
2007076065.tif 000013
【図１２】
2007076065.tif 000014
【図１３】
2007076065.tif 000015
【図１４】
2007076065.tif 000016
【図１５】
2007076065.tif 000017
【図１６】
2007076065.tif 000018
【図１７】
2007076065.tif 000019
【図１８】
2007076065.tif 000020